(57)【特許請求の範囲】
【請求項１】
光学機器本体の背面側に配置され、光学機器本体の前後方向に回転軸を有する回転ダイヤル式情報設定手段と、該回転ダイヤル式情報設定手段のダイヤル部の内側に配置され、表示器に２次元的に配置された複数の選択領域の中から任意の領域を選択するための選択領域選択手段とを有し、前記回転ダイヤル式情報設定手段と前記選択領域選択手段とを、互いに独立して操作可能な分離された別部材としたことを特徴とする光学機器の情報入力装置。
【請求項２】
前記回転ダイヤル式情報設定手段のダイヤル部と前記選択領域選択手段の操作面との間に配置され、前記回転ダイヤル式情報設定手段及び前記選択領域選択手段とは異なる部材を有することを特徴とする請求項１に記載の光学機器の情報入力装置。
【請求項３】
前記選択領域選択手段は前記光学機器本体に対して非回転であることを特徴とする請求項１又は２に記載の光学機器の情報入力装置。
【請求項４】
前記選択領域選択手段と前記回転ダイヤル式情報設定手段のどちらか一方が操作されている間は、他方の操作による入力を受け付けない制御手段を有することを特徴とする請求項１から３のいずれかに記載の光学機器の情報入力装置。
【請求項５】
前記選択領域選択手段は、前記選択領域としての複数の測距領域の中から焦点検出を行う任意の測距領域を選択するために操作されることを特徴とする請求項１から４のいずれかに記載の光学機器の情報入力装置。
【請求項６】
前記選択領域選択手段は、十字方向に押し操作可能なスイッチ機構を有することを特徴とする請求項１に記載の情報入力装置。
【請求項７】
前記スイッチ機構は、前記回転ダイヤル式情報設定手段の回転軸と略同軸に十字方向に押し操作可能なシーソー型のスイッチ機構であることを特徴とする請求項６に記載の情報入力装置。
【請求項８】
前記選択領域は、ファインダーで観察される画面内において、被写体像に重ねて表示されることを特徴とする請求項１に記載の情報入力装置。
【請求項９】
前記光学機器はカメラであって、前記情報入力装置は該カメラのホールド時に右手親指で操作し得る位置に配置されることを特徴とする請求項１に記載の情報入力装置。
【発明の詳細な説明】
【０００１】
【発明の属する技術分野】
本発明はカメラ等の光学機器の情報入力装置に係り、特に、２次元的に配置された複数の測距点の選択操作を行う情報入力装置に関するものである。
【０００２】
【従来の技術】
従来から、光学機器、例えばカメラにおいて、ファインダー内の被写体に対して２次元的に複数の測距点を用意し、任意の測距点を選択できるようにしたいわゆる多点測距装置を有するカメラが提案されている。
【０００３】
そして、焦点検出を行なう測距点を、複数の測距点の中から任意に選択するための測距点選択入力手段として、いわゆるジョイスティックやジョイパッド、あるいはトラックボールを用いるという提案がなされている。
【０００４】
この種の入力手段は、１つの操作によって、２方向の情報入力が可能なため、２次元的に配置された複数の測距点から１点を選択するというような操作に対しては好適な入力装置である。
【０００５】
また、一方では、カメラの背面に、フィルム面と直交する方向に回転軸を有する回転ダイヤルを設け、この回転ダイヤルの回転方向や回転量に応じて、カメラの撮影情報をはじめとする各種情報を設定するものが知られている。
【０００６】
この回転ダイヤルを、単に回転を検出するだけでなく、例えばその軸の傾きをも検出し得るように構成し、元来の情報設定ダイヤルとしての機能と、前述のジョイスティック等のような測距点選択手段としての機能を兼用させるようにしたものも提案されている。
【０００７】
【発明が解決しようとする課題】
しかしながら、前述のジョイスティック等の入力装置を測距点選択手段としてカメラに配置しようとすると、以下の問題がある。
【０００８】
通常、カメラの焦点検出機構は、カメラをホールドして、レリーズスイッチを半押しした状態で作動するように構成されているが、焦点検出動作が行なわれている際中に、すばやく任意の測距点を選択するには、上記のジョイスティック等の入力装置の配置としては、カメラをホールドし、レリーズスイッチを押えた状態でも、無理なく操作し得るように構成することが必要である。
【０００９】
そこで、この種の入力装置を、２次元的に配置した複数の測距点の中から任意の測距点を選択するための操作手段としてカメラに適用する場合、カメラの背面に配置し、右手親指で操作しやすい位置に設けることが必要である。
【００１０】
また、２次元的な操作を行なうために、その操作部もある程度の大きさを有したものに構成することが望まれる。
【００１１】
一方、カメラの背面にフィルム面と直交する回転軸を有する回転ダイヤルを設け、このダイヤルを回転操作することによって、カメラの露出補正や、撮影情報の入力、設定を行なうようにしたものが提案されている。
【００１２】
このような露出補正等のためのダイヤルそのものの特徴とするところは、カメラをホールドしてファインダーを覗いた状態においても、露出補正や、情報入力ができる点にあるため、その最適な配置はやはり、カメラ背面であって、右手親指で操作しやすい位置になる。
【００１３】
そのため、この２種類の入力装置を１つのカメラに設けようとすると、両者の求める最適な配置場所がカメラ背面のほぼ同じ位置になってしまううえに、両者ともに操作性上、ある程度の操作部の大きさが必要であるため、結果的に、両者ともに良好な操作性を実現するようなレイアウトをすることができないという問題が発生していた。
【００１４】
また、上記した露出補正等のためのダイヤル式の情報入力手段では、回転ダイヤルが機構的に２次元的入力装置の機能をも兼ね備えているので、上述したようなレイアウト上の問題は発生しないが、１つの操作部材を回転方向と、傾き方向という異なる方向に動すことで、異なる種類の情報、例えば、露出補正と測距点選択の入力を行なうために、片方の情報入力のみを行なおうとしても、どうしても、意図しない方の入力方向にも操作部が動くことになり、特に、操作部の配置は前述の事情から、カメラの背面で右手親指１本で操作するような位置に配置されているため、指の操作方法によってこれを回避することは難しい。
【００１５】
そこでこれを回避するには、回転方向か傾き方向のどちらかの方向の入力のみをカメラが受け付けるのかを切換える入力切換スイッチを別に設ければ良いが、元来、この種の入力装置をカメラ背面に設けた主目的が、カメラホールドし、ファインダを覗いた状態でも、露出補正や、測距点選択が随時可能であり、また迅速にそれが行なえることにあったことに対しては、別スイッチによる入力切換を伴なう操作性では、その目的を達したとはいえないものになってしまう。
【００１６】
本出願に係る第１の発明の目的は、２次元的に配置された複数の測距点等の選択について、カメラ等の光学機器をホールドし、ファインダーを覗いた状態でも、測距点等の選択操作と、露出補正等の情報設定操作の２種類の入手操作が確実、かつ迅速に行なえる光学機器の情報入力装置を提供することにある。
【００１７】
本出願に係る第２の発明の目的は、上記した第１の発明の目的を達成し、かつ一方のみの入力操作を行なった時にも、誤って他方の設定を変更してしまうことのない光学機器の情報入力装置を提供することにある。
【００１８】
【課題を解決するための手段】
本出願に係る第１の発明の目的を実現する構成は、光学機器本体の背面側に配置され、光学機器本体の前後方向に回転軸を有する回転ダイヤル式情報設定手段と、該回転ダイヤル式情報設定手段のダイヤル部の内側に配置され、表示器に２次元的に配置された複数の選択領域の中から任意の領域を選択するための選択領域選択手段とを有し、前記回転ダイヤル式情報設定手段と前記選択領域選択手段とを、互いに独立して操作可能な分離された別部材としたことを特徴とする光学機器の情報入力装置にある。
【００１９】
本出願に係る第２の発明の目的を実現する構成は、上記した構成において、前記選択領域選択手段と前記回転ダイヤル式の情報設定手段のどちらか一方が操作されている間は、他方の操作による入力を受け付けない制御手段を有することを特徴とする光学機器の情報入力装置にある。
【００２０】
また、これらの構成において、前記選択領域選択手段は、複数の測距領域の
中から焦点検出を行う任意の領域を選択することを特徴とする光学機器の情報入力装置にある。
また、前記選択領域選択手段は、十字方向に押し操作可能なスイッチ機構を有することを特徴とする。
さらには、前記スイッチ機構は、回転ダイヤル式の情報設定手段の回転軸と略同軸に十字方向に押し操作可能なシーソー型のスイッチ機構となっている。
また、前記表示器はファインダーで観察される画面に被写体像に重ねて配置されることを特徴としている。
【００２１】
【発明の実施の形態】
（第１の実施の形態）
図１は本発明をカメラに適用した第１の実施の形態のカメラの背面図、図２は図１に示すカメラに設けた情報入力装置の断面図である。
【００２２】
本実施の形態において、カメラボディ１の背面部例えば背蓋２には、回転操作により撮影情報設定可能な情報設定ダイヤル３が配置されている。情報設定ダイヤル３は、図示しない公知のクリック機構により回転時にクリック感が得られるようになっている。情報設定ダイヤル３は、カメラボディ１を保持したときに、親指（点線で示す）で操作できるような位置に設けられる。なお、情報設定ダイヤル３は不図示の連結機構により、不図示の公知のパルス発生装置に接続されている。
【００２３】
情報設定ダイヤル３の内側には、略同軸に、十字方向に押し操作可能なシーソー型のスイッチ機構を有する測距点選択釦４が配置されている。測距点選択釦４には、４箇所の入力位置４ａ〜４ｄを有し、これらの入力位置４ａ〜４ｄは夫々９０度ずつずらされて配置されている。この測距点選択釦４は、各入力位置４ａ〜４ｄを押すことによってオンするスイッチを有しており、各入力位置４ａ〜４ｄは情報設定ダイヤル３と同様にカメラボディ１をホールドした状態で、ホールドした手の親指で操作できるようになっている。
【００２４】
次に、測距点選択釦４等で構成される情報入力装置の構造を図２に基づいて説明する。
【００２５】
本実施の形態の情報入力装置は、測距点選択釦保持部材５によって、カメラボディ１に対して非回転であって、上下左右の４方向に傾動可能に測距点選択釦４を保持している。６は円筒状に突出した４か所のスイッチ作動部６ａ〜６ｄ（６ｂと６ｄは不図示）等をゴムにより一体的に形成したスイッチゴム、７は各スイッチ作動部６ａ〜６ｄの下面に形成された導通部６ａ”〜６ｄ”（６ｂ”と６ｄ”は不図示）によってショートされる対をなす４か所のスイッチパターン７ａ’と７ａ”〜７ｄ’と７ｄ”（７ｂ’と７ｂ”，７ｄ’と７ｄ”とは不図示）が夫々設けられた基板７を示す。
【００２６】
測距点選択釦４には、上下左右の４箇所に突部によって示される入力位置４ａ〜４ｄが設けられており、各入力位置４ａ〜４ｄは夫々９０度づつずらされて配置されている。測距点選択釦４の裏面には、測距点選択釦４の４か所の各入力位置４ａ〜４ｄに夫々対応して、４箇所の嵌合穴４ａ’〜４ｄ’が形成されており、これらの嵌合穴４ａ’〜４ｄ’にスイッチゴム６の各作動部６ａ〜６ｄの頭部６ａ’〜６ｄ’が嵌合している。なお、基板７のスイッチパターン７ａ’と７ａ”〜７ｄ’と７ｄ”とスイッチゴム６の各導通部６ａ”〜６ｄ”とは、測距点選択釦４が押圧されない状態で、各スイッチ作動部６ａ〜６ｄの周囲に設けられたバネ部により常時所定の隙間を形成するように付勢されている。
【００２７】
図３は、撮影レンズ８を取り付けたカメラボディの概略断面図であり、主ミラー９、サブミラー１０、焦点検出装置１１、ピント板１２、ペンタプリズム１３、接眼レンズ等で構成されるアイピース１４、測光装置１５、レンズ制御手段１６である。撮影レンズ８には、焦点調整のためにレンズ８’を駆動するレンズ駆動装置１７が設けられる。
【００２８】
本実施の形態において、オートフォーカス動作は次のように行われる。撮影レンズ８を通過した光束１８をハーフミラーとなっている主ミラー９により、ペンタプリズム側とサブミラー側へ分割される。サブミラー１０へ導かれた光束１８は、焦点検出装置１１へと導かれ、焦点検出に用いられる。焦点検出の方法は公知の方法を用いる。焦点検出装置１１は撮影画面に９個の焦点検出領域を二次元状に配置しており、各焦点領域ごとに撮影レンズ８の焦点調整状態を検出する。主ミラー９によりペンタプリズム１３側に導かれた光束は、ピント板１２に結像され、ペンタプリズム１３により方向を変更され、アイピース１４と測光装置１５へと夫々導かれる。そして、測光装置１５では公知の手段により輝度が測定され、またアイピース１４へ導かれた光束は、撮影者により観察される。焦点調整は、焦点検出装置１１からの焦点検出情報に基づき、レンズ制御手段１６によりレンズ内のレンズ駆動装置１７を作動させて行われる。
【００２９】
図４はファインダーで観察される画面を示すものである。焦点位置にはピント板１２が配置される。その近傍には、公知の手段による測距位置表示手段としてのファインダー表示器１９が配置される。ファインダー表示器１９は、撮影画面の９箇所の焦点検出領域に対応する９個の表示セグメント１９ａ〜１９ｉを有しており、被写体像に重ねて焦点検出を行う領域をセグメント表示する構成となっている。
【００３０】
また、ファインダー画面の周辺部には、ファインダー表示器１９による露出状態情報表示用の表示手段としての露出状態表示器１９′が配置されている。露出状態表示器１９′は、主として露出補正表示のために使われ中央部の大ドット１９’ａが露出補正量「なし」を示し、小ドット１９’ｄは１／３ＥＶステップを示し、上下両端の大ドット１９’ｂと１９’ｃは１ＥＶステップを示す。また、中央部の大ドット１９’ａより上方はプラス、下方はマイナスの露出補正状態であることを示す。
【００３１】
図５は本実施の形態の情報入力装置の電気的構成を示すブロック図である。
【００３２】
ＣＰＵ２０には、測距点選択釦４に連動してオン・オフするスイッチ２１（４方向＋Ｘ、−Ｘ、＋Ｙ、−Ｙのスイッチ）、情報設定ダイヤル３に連動してパルスを発生するパルス発生手段２６、焦点検出を行う焦点検出装置１１、測光装置１５、ファインダー表示器１９を駆動する表示器駆動回路１９Ａが接続されている。
【００３３】
次に背蓋に設けられた情報設定ダイヤル３による露出補正については公知の方法であるので簡単に説明する。測光状態において背蓋に設けられた情報設定ダイヤル３が回転されると、情報設定ダイヤル３の回転クリック数と回転方向に応じて露出補正がかけられる。
【００３４】
本実施の形態において、測距点選択は図示しない測距点選択機能起動スイッチが操作されている間、及び測距点選択機能起動スイッチが操作されてからスタートするタイマー時間中、及び常時測距点選択機能起動スイッチがオンしている間において可能となる。測距点選択が可能な状態において、測距点選択釦４がオンするまで押し込まれると、入力位置に対応した方向（上下左右の４方向）へ焦点検出位置を移動させる。焦点検出位置が選択可能な位置の端部にある場合、端部より外方向への測距点選択釦４が操作されても焦点検出位置は移動しない。
【００３５】
図６は本実施の形態において、測距点選択時の選択処理を示したフローチャートである。
【００３６】
ステップＳ１において、測距点選択が可能な状態か否かを判定する。Ｎｏならば処理を終了し、測距点選択が可能な場合はステップＳ２へ進む。
【００３７】
ステップＳ２において、測距点選択操作部材としての測距点選択釦４が操作されたか否かを判別する。測距点選択釦４が操作されていない場合は処理を終了し、操作された場合はステップＳ３へ進む。
【００３８】
ステップＳ３において、測距点選択釦４の押圧操作で＋Ｘ方向のスイッチが選択されたか否かを判別する。＋Ｘ方向が選択されていない場合はステップＳ４へ進み、＋Ｘ方向が選択されている場合はステップＳ７へ進む。
【００３９】
ステップＳ７において、測距点位置が選択可能な範囲のどの位置にあるかを判別する。測距点の現在位置が＋Ｘ方向へ移動できない場合は処理を終了し、移動可能な場合はステップＳ８へ進む。
【００４０】
ステップＳ８において測距点位置を＋Ｘ方向へ１単位シフトし、ステップＳ９へ進む。
【００４１】
ステップＳ９において、測距点位置の変更に応じて測距点位置表示手段による測距点表示位置を変更し、処理を終了する。具体的にはファインダー表示器１９の表示セグメント（１９ａ〜１９ｉ）の点灯位置を変更する。
【００４２】
ステップＳ４において、測距点選択部材が−Ｘ方向のスイッチが選択されたか否かを判別する。−Ｘ方向が選択されていない場合はステップＳ５へ進み、−Ｘ方向が選択されている場合はステップＳ１０へ進む。
【００４３】
ステップＳ１０において、測距点位置が選択可能な範囲のどの位置にあるかを判別する。測距点の現在位置が−Ｘ方向へ移動できない場合は処理を終了し、移動可能な場合はステップＳ１１へ進む。
【００４４】
ステップＳ１１において、測距点位置を−Ｘ方向へ１単位シフトし、ステップＳ１２へ進む。
【００４５】
ステップＳ１２において、測距点位置の変更に応じて測距点位置表示手段としてのファインダー表示器１９による測距点表示位置を変更し、処理を終了する。
【００４６】
ステップＳ５において、測距点選択部材が＋Ｙ方向のスイッチが選択されたか否かを判別する。＋Ｙ方向が選択されていない場合はステップＳ６へ進み、＋Ｙ方向が選択されている場合はステップＳ１３へ進む。
【００４７】
ステップＳ１３において、測距点位置が選択可能な範囲のどの位置にあるかを判別する。測距点の現在位置が＋Ｙ方向へ移動できない場合は処理を終了し、移動可能な場合はステップＳ１４へ進む。
【００４８】
ステップＳ１４において、測距点位置を＋Ｙ方向へ１単位シフトし、ステップＳ１５へ進む。
【００４９】
ステップＳ１５において、測距点位置の変更に応じて測距点位置表示手段としてのファインダー表示器１９による測距点表示位置を変更し、処理を終了する。
【００５０】
ステップＳ６において、測距点選択部材が−Ｙ方向のスイッチが選択されたか否かを判別する。−Ｙ方向が選択されていない場合は処理を終了し、−Ｙ方向が選択されている場合はステップＳ１６へ進む。
【００５１】
ステップＳ１６において、測距点位置が選択可能な範囲のどの位置にあるかを判別する。測距点の現在位置が−Ｙ方向へ移動できない場合は処理を終了し、移動可能な場合はステップＳ１７へ進む。
【００５２】
ステップＳ１７において、測距点位置を−Ｙ方向へ１単位シフトし、ステップＳ１８へ進む。
【００５３】
ステップＳ１８において、測距点位置の変更に応じて測距点位置表示手段としてのファインダー表示器１９による測距点表示位置を変更し、処理を終了する。
【００５４】
次に、背蓋に設けられた情報設定ダイヤル３操作による情報変更について説明する。
【００５５】
図７は情報設定ダイヤル３の情報設定項目を露出補正としたとき、情報設定ダイヤル３を回転させた時の処理を示したフローチャートである。
【００５６】
ステップＳ１９において、情報設定ダイヤル３の入力受付可能な状態か否かを判定する。Ｎｏならば処理を終了する。情報設定ダイヤル３の入力受付可能な場合はステップＳ２０へ進む。
【００５７】
ステップＳ２０において、情報設定ダイヤル３が操作されたか否かを判別する。情報設定ダイヤル３が操作されていない場合は処理を終了し、操作された場合はステップＳ２１へ進む。
【００５８】
ステップＳ２１において、情報設定ダイヤル３が右方向へ回転させられたか否かを判別する。右方向へ回転させられていない場合はステップＳ２３へ進み、右方向へ回転させられている場合はステップＳ２４へ進む。
【００５９】
ステップＳ２３において、露出を＋方向へ１ステップだけ露出を補正し、ステップＳ２４へ進む。
【００６０】
ステップＳ２４において、露出補正値の変更に応じて露出補正量表示手段による表示位置を変更し、処理を終了する。
【００６１】
ステップＳ２２において、情報設定ダイヤル３が左方向へ回転させられたか否かを判別する。左方向へ回転させられていない場合は処理を終了し、左方向へ回転させられている場合はステップＳ２５へ進む。
【００６２】
ステップＳ２５において、露出を−方向へ１ステップ補正し、ステップＳ２６へ進む。
【００６３】
ステップＳ２６において、露出補正値の変更に応じて露出補正量表示手段、例えば露出状態表示器１９’による表示位置を変更し、処理を終了する。
【００６４】
図８は測距点選択釦及び情報設定ダイヤルのどちらか１方が操作されているときに、他方が操作された場合の処理のフローチャートを示したものである。
【００６５】
ステップ２７において、測距点選択信号に変化があった否かを判別する。無かった場合はステップ２８、あった場合はステップ３３へ進む。
【００６６】
ステップ２８において、情報設定ダイヤルの信号に変化があったか否かを判別する。あった場合はステップ２９へ、無かった場合はステップ２７へ進む。
【００６７】
ステップ２９において、測距点選択信号を無視するタイマーをスタートさせる。これによりタイマー時間中は測距点選択信号を受け付けなくなる。そして、ステップ３０へ進む。
【００６８】
ステップ３０において、情報設定を変更し、表示を切り替える。そしてステップ３１へ進む。ステップ３０の詳細は図９において説明する。
【００６９】
ステップ３１において、情報設定ダイヤルの信号に変化があるか否かを判別する。あった場合はステップ２９に進み、無かった場合はステップ３２に進む。
【００７０】
ステップ３２において、測距点選択信号無視タイマーが終了したか否かを判別する。測距点選択信号無視タイマーが終了していなければステップ３１に進み、終了していればステップ２７へ進む。
【００７１】
ステップ３３において、情報設定ダイヤル信号を無視するタイマーをスタートさせる。これによりタイマー時間中は情報設定ダイヤル信号を受け付けなくなる。そして、ステップ３４へ進む。
【００７２】
ステップ３４において、焦点検出位置を変更し、表示を切り替え、そしてステップ３５へ進む。ステップ３４の詳細は図１０において説明する。
【００７３】
ステップ３５において、測距点選択釦４の押圧に伴うスイッチの信号に変化があるか否かを判別する。あった場合はステップ３３に進み、無かった場合は、ステップ３６に進む。
【００７４】
ステップ３６において、情報設定ダイヤル信号無視タイマーが終了したか否かを判別する。情報設定ダイヤル信号無視タイマーが終了していなければステップ３１に進み、終了していればステップ２７へ進む。
【００７５】
図９はステップ３０における情報設定ダイヤル３の情報設定項目を露出補正としたとき、情報設定ダイヤル３を回転させた時の処理を示したフローチャートである。
【００７６】
ステップＳ３８において、情報設定ダイヤル３の入力受付可能な状態か否かを判定する。Ｎｏならば図８へ復帰し、情報設定ダイヤル３の入力受付可能な場合はステップＳ３９へ進む。
【００７７】
ステップＳ３９において、情報設定ダイヤル３が操作されたか否かを判別する。情報設定ダイヤル３が操作されていない場合は図８へ復帰し、操作された場合はステップＳ４０へ進む。
【００７８】
ステップＳ４０において、情報設定ダイヤル３が右方向へ回転させられたか否かを判別する。右方向へ回転させられていない場合はステップＳ４１へ進み、右方向へ回転させられている場合はステップＳ４２へ進む。
【００７９】
ステップＳ４２において、露出を＋方向へ１ステップだけ補正し、ステップＳ４３へ進む。
【００８０】
ステップＳ４３において、露出補正値の変更に応じて露出補正量表示手段、例えば露出状態表示器９’による表示位置を変更し、図８へ復帰する。
【００８１】
ステップＳ４１において、情報設定ダイヤル３が左方向へ回転させられたか否かを判別する。左方向へ回転させられていない場合は図８へ復帰し、左方向へ回転させられている場合はステップＳ４４へ進む。
【００８２】
ステップＳ４４において、露出を−方向へ１ステップ補正し、ステップＳ４５へ進む。
【００８３】
ステップＳ４５において、露出補正値の変更に応じて露出補正量表示手段、例えば露出状態表示器９’による表示位置を変更し、図８へ復帰する。
【００８４】
図１０はステップ３４における測距点選択時の選択処理を示したフローチャートである。
【００８５】
ステップＳ４６において、測距点選択が可能な状態か否かを判定する。Ｎｏならば図８へ復帰し、測距点選択が可能な場合はステップＳ４７へ進む。
【００８６】
ステップＳ４７において、測距点選択釦４が操作されたか否かを判別する。測距点選択釦４が操作されていない場合は図８へ復帰し、操作された場合はステップＳ４８へ進む。
【００８７】
ステップＳ４８において、測距点選択部材が＋Ｘ方向のスイッチが選択されたか否かを判別する。＋Ｘ方向が選択されていない場合はステップＳ４９へ進み、＋Ｘ方向が選択されている場合はステップＳ５２へ進む。
【００８８】
ステップＳ５２において、測距点位置が選択可能な範囲のどの位置にあるかを判別する。測距点の現在位置が＋Ｘ方向へ移動できない場合は図８へ復帰し、移動可能な場合はステップＳ５３へ進む。
【００８９】
ステップＳ５３において、測距点位置を＋Ｘ方向へ１単位シフトし、ステップＳ５４へ進む。
【００９０】
ステップＳ５４において、測距点位置の変更に応じて測距点位置表示手段としてのファインダー表示器１９による測距点表示位置を変更し、図８に復帰する。
【００９１】
ステップＳ４９において、測距点選択部材が−Ｘ方向のスイッチが選択されたか否かを判別する。−Ｘ方向が選択されていない場合はステップＳ５０へ進み、−Ｘ方向が選択されている場合はステップＳ５５へ進む。
【００９２】
ステップＳ５５において、測距点位置が選択可能な範囲のどの位置にあるかを判別する。測距点の現在位置が−Ｘ方向へ移動できない場合は図８へ復帰し、移動可能な場合はステップＳ５６へ進む。
【００９３】
ステップＳ５６において、測距点位置を−Ｘ方向へ１単位シフトし、ステップＳ５７へ進む。
【００９４】
ステップＳ５７において、測距点位置の変更に応じて測距点位置表示手段としてのファインダー表示器１９による測距点表示位置を変更し、図８へ復帰する。
【００９５】
ステップＳ５０において、測距点選択部材が＋Ｙ方向のスイッチが選択されたか否かを判別する。＋Ｙ方向が選択されていない場合はステップＳ５１へ進み、＋Ｙ方向が選択されている場合はステップＳ５８へ進む。
【００９６】
ステップＳ５８において、測距点位置が選択可能な範囲のどの位置にあるかを判別する。測距点の現在位置が＋Ｙ方向へ移動できない場合は図８へ復帰し、移動可能な場合はステップＳ５９へ進む。
【００９７】
ステップＳ５９において、測距点位置を＋Ｙ方向へ１単位シフトし、ステップＳ６０へ進む。
【００９８】
ステップＳ６０において、測距点位置の変更に応じて測距点位置表示手段としてのファインダー表示器１９による測距点表示位置を変更し、図８へ復帰する。
【００９９】
ステップＳ５１において、測距点選択部材が−Ｙ方向のスイッチが選択されたか否かを判別する。−Ｙ方向が選択されていない場合は図８へ復帰し、−Ｙ方向が選択されている場合はステップＳ６１へ進む。
【０１００】
ステップＳ６１において、測距点位置が選択可能な範囲のどの位置にあるかを判別する。測距点の現在位置が−Ｙ方向へ移動できない場合は図８へ復帰し、移動可能な場合はステップＳ６２へ進む。
【０１０１】
ステップＳ６２において、測距点位置を−Ｙ方向へ１単位シフトし、ステップＳ６３へ進む。
【０１０２】
ステップＳ６３において、測距点位置の変更に応じて測距点位置表示手段としてのファインダー表示器１９による測距点表示位置を変更し、図８へ復帰する。
【０１０３】
（発明と実施の形態の対応）
以上の実施形態において、カメラボディ１が本発明の光学機器本体に、測距点選択釦４が選択領域選択手段に、背蓋２が光学機器本体の背面側に、情報設定ダイヤル３が回転ダイヤル式情報設定手段に、相当する。
【０１０４】
なお、以上が本発明の各構成と実施の形態の各構成の対応関係であるが、本発明は、これら実施の形態の構成に限られるものではなく、請求項で示した機能、または実施の形態の構成が持つ機能が達成できる構成であればどのようなものであっても良いことは言うまでもない。
【０１０５】
また、測距点の選択を行うようにしているが、これに限定されるものではなく、例えばファインダーを覗きながら測距点以外のものを選択するようにしてもよい。
【０１０６】
また、本発明は、以上の実施形態またはそれらの技術要素を必要に応じて組み合わせるようにしても良い。
【０１０７】
また、本発明は、一眼レフカメラ、レンズシャッタカメラ、ビデオカメラ等種々の形態のカメラ、さらにはカメラ以外の光学機器やその他の装置、さらにはそれらのカメラや光学機器やその他の装置、さらにはそれらカメラや光学機器やその他の装置に適用される装置または、これらを構成する要素に対しても適用できる。また、本発明は、特許請求の範囲または実施の形態の構成の全体若しくは一部が、一つの装置を形成するようなものであって、他の装置との結合するようなものであってもよく、装置を構成する要素のようなものであってもよい。
【０１０８】
【発明の効果】
以上説明したように本発明によれば、回転ダイヤル式の情報設定手段の操作と例えば測距点の選択を行う選択手段の操作がカメラなどの光学機器の保持状態を変えることなくできるので、操作性が向上する。
【０１０９】
また、情報設定手段と選択領域選択手段のどちらか一方が操作されている時は、他方が操作されても無視するようにしたので、意志と反した情報の変更を防ぐことができる。
【図面の簡単な説明】
【図１】本発明を適用したカメラの第１の実施の形態を示す背面図
【図２】図１のカメラにおける情報入力装置の断面図
【図３】図１のカメラの概略断面図
【図４】図１のカメラのファインダー表示器を示す図
【図５】図１のカメラの概略構成を示すブロック図
【図６】第１の実施の形態における測距点選択時の選択処理を示したフローチャート
【図７】第１の実施の形態における情報設定ダイヤル回転時の処理を示したフローチャート
【図８】第１の実施の形態における測距点選択釦及び情報設定ダイヤルのいずれか一方を操作中に他方を操作した場合の処理を示すフローチャート
【図９】図８のステップＳ３０の処理を示すフローチャート
【図１０】図８のステップ３４の処理を示すフローチャート
【符号の説明】
１  カメラボディ
２  背蓋
３  情報設定ダイヤル
４  測距点選択釦
５  測距点選択釦保持部材
６  ＳＷゴム
７  基板
８  撮影レンズ
９  主ミラー
１０  サブミラー
１１  焦点検出装置
１２  ピント板
１３  ペンタプリズム
１４  アイピース
１５  測光装置
１６  レンズ制御手段
１７  レンズ駆動装置
１８  光束
１９  ファインダー表示器
１９’露出状態表示器
２０  ＣＰＵ
２１  スイッチ
２６  パルス発生手段
【図１】
0003761999.tif 000002
【図２】
0003761999.tif 000003
【図３】
0003761999.tif 000004
【図４】
0003761999.tif 000005
【図５】
0003761999.tif 000006
【図６】
0003761999.tif 000007
【図７】
0003761999.tif 000008
【図８】
0003761999.tif 000009
【図９】
0003761999.tif 000010
【図１０】
0003761999.tif 000011